(57)【特許請求の範囲】
【請求項１】
カップ状複合容器の開口部を形成する下端内周部に蓋材とのアンダーカット状嵌合部をもつ開口周縁部に装着する柔軟なプラスチック蓋であって、金型内に前もってバリヤ性フィルムを所定位置に装着し、インサート射出成形法で蓋を軟質ポリオレフィン系樹脂で射出成形すると同時にバリヤ性フィルムを蓋に熱融着し、蓋の周壁上端の外周に、シールフランジを外側方向にもち、周壁の上方の内周に、取手リングを内側方向にもち、周壁下端の外周に、嵌合突部を外側方向にもち、周壁下端の内周に、天板を接続し、この天板の中央部に、上方へ突起する減圧吸収部をもち、且つ、周壁と天板との容器外側面に、バリヤ性フィルムを貼着していることを特徴とするプラスチック蓋。
【請求項２】
前記軟質ポリオレフィン系樹脂が、ポリエチレンとポリプロピレンとのブレンド樹脂であることを特徴とする請求項１記載のプラスチック蓋。
【請求項３】
前記軟質ポリオレフィン系樹脂に、エチレン−αオレフィン共重合体、プロピレン−αオレフィン共重合体、エチレンプロピレンゴム、エチレン−プロピレン−ジエン三成分共重合体ゴムのいずれかを含有することを特徴とする請求項１記載のプラスチック蓋。
【発明の詳細な説明】
【０００１】
【発明の属する技術分野】
本発明は、内容物を充填又は収容したのちに、容器内が減圧するような場合に使用するプラスチック蓋に関するものである。
【０００２】
【従来の技術】
従来、開口部、胴部の背貼り部、胴部と底部の合わせ目などを、プラスチックの補強枠で補強した紙層を主体とした積層材料からなるカップ状複合容器が、食品分野の広い用途範囲に使用されてきているが、これらの容器の開口部は、積層フィルムやプラスチック蓋などの蓋材を開口部の上面に開封可能に熱融着して封止したもの、または、開口部の外側に嵌合や螺合するプラスチック蓋で封止したものなどであった。
【０００３】
【発明が解決しようとする課題】
しかしながら、上述の従来の蓋材は、容器を開封するときに、熱融着した蓋材が容器から剥離しにくかったり、内容物を充填又は収容したのちの容器内の減圧によって容器が変形し、外観を著しく損なって、商品価値が低下することがあった。また、開封のための取手が、小さくて取り扱いにくかったり、外側に設けられているため、流通時や保管時に取手が邪魔になることなどがあった。
【０００４】
本発明は、上述の従来の蓋材の問題を解決したものであり、容器内の減圧を吸収し、内容物の保護性が良好で、開封しやすく、また、取手が取り扱いやすくて邪魔にならないプラスチック蓋を提供するものである。
【０００５】
【課題を解決するための手段】
本発明の第１の発明は、図１及び図２に示すように、カップ状複合容器（２００）の開口部を形成する下端内周部に蓋材とのアンダーカット状嵌合部（２２２）をもつ開口周縁部（２２０）に装着する柔軟なプラスチック蓋（１００）であって、金型内に前もってバリヤ性フィルムを所定位置に装着し、インサート射出成形法で蓋を軟質ポリオレフィン系樹脂で射出成形すると同時にバリヤ性フィルムを蓋に熱融着し、蓋の周壁（１１０）上端の外周に、シールフランジ（１３０）を外側方向にもち、周壁の上方の内周に、取手リング（１４０）を内側方向にもち、周壁下端の外周に、嵌合突部（１５０）を外側方向にもち、周壁下端の内周に、天板（１２０）を接続し、この天板の中央部に、上方へ突起する減圧吸収部（１２１）をもち、且つ、周壁と天板との容器外側面に、バリヤ性フィルム（１６０）を貼着していることを特徴とするプラスチック蓋（１００）である。
【０００６】
次に、本発明の第２の発明は、前記軟質ポリオレフィン系樹脂が、ポリエチレンとポリプロピレンとのブレンド樹脂であることを特徴とする第１の発明に記載のプラスチック蓋である。
【０００７】
そして、本発明の第３の発明は、前記軟質ポリオレフィン系樹脂に、エチレン−αオレフィン共重合体、プロピレン−αオレフィン共重合体、エチレンプロピレンゴム、エチレン−プロピレン−ジエン三成分共重合体ゴムのいずれかを含有することを特徴とする第１の発明に記載のプラスチック蓋である。
【０００８】
【作用】
本発明のプラスチック蓋は、装着した容器内が減圧状態になると、天板の中央部に形成されている上方へ突起する減圧吸収部（１２１）が、図３に示すように、下方へ変形又は反転（矢印で示す）して容器（２００）内の減圧状態を吸収するために、容器の変形を防ぐことができる。
【０００９】
また、本発明のプラスチック蓋は、周壁と天板との容器外側面にバリヤ性フィルムを貼着しているため、内容物を充填又は収容した容器に装着したときに、内容物の保護性が良好である。
【００１０】
また、一旦容器が開封されたのち、再度、蓋をして内容物を保管するときに、本発明のプラスチック蓋は、周壁下端の外周に容器のアンダーカット状嵌合部と嵌合する嵌合突起が設けられているため、容器の開口部に蓋を挿着したときに、蓋が容器にしっかり固定されて密封性が良好である。このため、内容物の保護性が良好となる。
【００１１】
また、本発明のプラスチック蓋は、容器開口部に挿着したのち、図１に示すように、シールフランジ（１３０）の裏面を容器の開口周縁部（２２０）の上面（２２１）と超音波シール法などで熱融着するが、材質がポリエチレンとポリプロピレンとのブレンド樹脂であり、ポリエチレンとポリプロピレンとのブレンド比率によって接着強度が調整されるため、開封時に蓋が容器から適度の剥離強度をもって剥離する。
【００１２】
また、本発明のプラスチック蓋は、容器から蓋を取り外すための取手リングが周壁の上方の内周に内側方向に設けられているので、リング状で大きくてどこの位置でも取り扱いやすく、容器の開封時に、内容物を容器の外側にこぼすことがない。また、内側に設けられているので流通時や保管時に取手が邪魔になることもない。
【００１３】
【発明の実施の形態】
次に、本発明のプラスチック蓋について、図１及び図２を用いて詳細に説明する。図１は、本発明の一実施形態のプラスチック蓋を容器に装着したときの状態を示す部分断面図であり、図２は、本発明の一実施形態のプラスチック蓋の平面図である。
【００１４】
本発明のプラスチック蓋（１００）は、図１に示すように、プラスチックの補強枠で補強した紙層を主体とした積層材料からなるカップ状複合容器の開口周縁部（２２０）に装着するものであるが、この開口周縁部には、下端内周部に蓋と嵌合するアンダーカット状嵌合部（２２２）を設けておく必要がある。
【００１５】
そして、本発明のプラスチック蓋（１００）の構造は、図１及び図２に示すように、周壁（１１０）上端の外周に、シールフランジ（１３０）を外側方向に設け、周壁の上方の内周に、取手リング（１４０）を内側方向に設け、周壁下端の外周に、容器のアンダーカット状嵌合部（２２２）と嵌合する嵌合突部（１５０）を外側方向に設け、周壁下端の内周に、天板（１２０）を接続して設け、この天板の中央部に、上方へ突起する通常は断面が台形状の減圧吸収部（１２１）を設けるものであり、また、周壁と天板との容器外側面に、バリヤ性フィルム（１６０）を貼着するものである。
【００１６】
プラスチック蓋の作製方法は、金型内に前もってバリヤ性フィルムを挿着しておく、いわゆるインサート射出成形法であり、蓋を成形と同時に蓋にバリヤ性フィルムを熱融着して貼着するものである。
【００１７】
蓋の射出成形材料は、通常、軟質ポリオレフィン系樹脂であり、ポリエチレンとポリプロピレンをブレンドし、これに、必要に応じて、エチレン−αオレフィン共重合体、プロピレン−αオレフィン共重合体、エチレンプロピレンゴム、エチレン−プロピレン−ジエン三成分共重合体ゴムなどを適宜選択してブレンドし、融点の低下や柔軟性を付与するものである。
【００１８】
なお、容器の開封時に、容器に熱融着する蓋を、適度の剥離強度で容器から剥離させるために、蓋の成形材料のポリエチレンとポリプロピレンとのブレンド比率は、容器の材質がポリエチレンの場合には、ポリエチレン：ポリプロピレン＝２．５重量％：９７．５重量％〜５０．０重量％：５０．０重量％のものが好ましく、容器の材質がポリプロピレンの場合には、ポリエチレン：ポリプロピレン＝９７．５重量％：２．５重量％〜５０．０重量％：５０．０重量％のものが好ましく、また、容器の材質が例えばポリプロピレン：ポリエチレン＝８５重量％：１５重量％のブレンド樹脂の場合には、ポリエチレン：ポリプロピレン＝９７．５重量％：２．５重量％〜２．５重量％：９７．５重量％のものが好ましい。
【００１９】
また、バリヤ性フィルムとしては、バリヤ層を中間層にもつポリエチレン／ポリ塩化ビニリデン／ポリエチレン構成、ポリエチレン／エチレン−ビニルアルコール共重合体／ポリエチレン構成、ポリプロピレン／ポリ塩化ビニリデン／ポリプロピレン構成、ポリプロピレン／エチレン−ビニルアルコール共重合体／ポリプロピレン構成、ポリプロピレン／ナイロン／ポリ塩化ビニリデン／ポリプロピレン構成、ポリプロピレン／ナイロン／エチレン−ビニルアルコール共重合体／ポリプロピレン構成などの積層フィルムを用いる。
【００２０】
【発明の効果】
本発明のプラスチック蓋は、容器内の減圧応じて天板の中央部に設けた上方へ突起する減圧吸収部が下方に変形して、容器の減圧状態を吸収するため、容器の変形が防げ、容器の外観を損なうことがない。
【００２１】
また、本発明のプラスチック蓋は、外側面にバリヤ性フィルムを貼着しており、内容物の保護性が良好である。
【００２２】
また、本発明のプラスチック蓋は、材質のポリエチレンとポリプロピレンの比率により、接着強度を調整したブレンド樹脂で作製されているため、容器を開封するときに、熱融着している蓋を容器から適宜の接着強度をもって剥離しやすい。
【００２３】
また、本発明のプラスチック蓋は、周壁の上方の内周に取手リングを内側方向に設けており、リング状で大きくてどこの位置でも取り扱いやすく、内側に設けられているので流通時や保管時に取手が邪魔になることがない。
【図面の簡単な説明】
【図１】  本発明の一実施形態のプラスチック蓋を容器に装着したときの状態を示す部分断面図である。
【図２】  本発明の一実施形態のプラスチック蓋の平面図である。
【図３】  容器内が減圧状態になったときの本発明の一実施形態のプラスチック蓋の減圧吸収部の状態を示す説明図である。
【符号の説明】
１００……プラスチック蓋
１１０……周壁
１２０……天板
１２１……減圧吸収部
１３０……シールフランジ
１４０……取手リング
１５０……嵌合突部
１６０……バリヤ性フィルム
２００……容器
２１０……胴部
２２０……開口周縁部
２２１……天面
２２２……アンダーカット状嵌合部
【図１】
0003951365.tif 000002
【図２】
0003951365.tif 000003
【図３】
0003951365.tif 000004